(57)【要約】 【課題】医用画像撮影装置における照射線量不足による医用画像の画質の低下を、ユーザが容易に確認するための装置を提供する。【解決手段】検像装置１０は、モダリティ４０において生成された医用画像データを受信する。そして、検像装置１０は、受信した医用画像データに含まれるＳ値を集計して集計情報（Ｓ値集計テーブル、基準値算出用テーブル）を生成する。検像装置１０は、集計情報（基準値算出用テーブル）に基づいて、Ｓ値の基準値を算出する。検像装置１０は、この基準値に基づいて、新たにモダリティ４０から取得した医用画像データに含まれるＳ値の値が適正であるか否かを判定する。検像装置１０は、Ｓ値の値が適正でないと判定すると、警告情報を検像画面に表示する。【選択図】図１
2010188041.tif 000002
【特許請求の範囲】
【請求項１】
医用画像撮影装置で生成された医用画像データを取得する取得手段と、
前記医用画像データに含まれる前記医用画像撮影装置のシステム感度の値を集計して集計情報を生成し、当該集計情報に基づいて、前記取得手段により新たに取得される医用画像データに含まれる前記医用画像撮影装置のシステム感度の値が適正であるか否かを判定し、当該システム感度の値が適正でない場合、警告情報を画面に表示させる制御手段と、
を備える医用画像処理装置。
【請求項２】
前記制御手段は、前記集計情報に基づいて前記システム感度の基準値を算出し、当該基準値に基づいて前記新たに取得される医用画像データに含まれる前記医用画像撮影装置のシステム感度の値が適正であるか否かを判定する、
請求項１に記載の医用画像処理装置。
【請求項３】
基準値算出用係数を設定する設定手段を更に備え、
前記制御手段は、前記基準値算出用係数と前記集計情報に基づいて、前記基準値を算出する、
請求項２に記載の医用画像処理装置。
【請求項４】
前記制御手段は、前記基準値と前記新たに取得される医用画像データに含まれる前記医用画像撮影装置のシステム感度の値とを比較し、当該システム感度の値が前記基準値以上の場合に、当該システム感度の値が適正でないと判定する、
請求項２又は３に記載の医用画像処理装置。
【請求項５】
前記取得手段は、１又は複数の医用画像撮影装置から医用画像データを取得し、
前記制御手段は、前記医用画像撮影装置の種別毎に前記集計情報を生成し、当該集計情報に基づいて、前記取得手段により新たに取得される医用画像データに含まれる前記医用画像撮影装置のシステム感度の値が適正であるか否かを、前記医用画像撮影装置の種別に応じて判定する、
請求項１〜４の何れか一項に記載の医用画像処理装置。
【請求項６】
コンピュータを、
医用画像撮影装置で生成された医用画像データを取得する取得手段、
前記医用画像データに含まれる前記医用画像撮影装置のシステム感度の値を集計して集計情報を生成し、当該集計情報に基づいて、前記取得手段により新たに取得される医用画像データに含まれる前記医用画像撮影装置のシステム感度の値が適正であるか否かを判定し、当該システム感度の値が適正でない場合、警告情報を画面に表示させる制御手段、
として機能させるためのプログラム。
【発明の詳細な説明】
【技術分野】
【０００１】
本発明は、医用画像処理装置及びプログラムに関する。
【背景技術】
【０００２】
病院や診療所等の医療施設では、Ｘ線撮影装置等の医用画像撮影装置（モダリティ）を用いた検査が行われる。通常、このような検査では、撮影業務を専門に行う撮影技師による操作に基づき、モダリティが医用画像（医用画像データ）を生成する。そして、撮影技師は、モダリティが生成した医用画像を画面に表示させ、検像を行う。ここで、検像とは、医用画像に不具合が無いことの確認や不具合があった場合に、それを修正する行為である。
【０００３】
そして、撮影技師による検像が完了した医用画像は、ＰＡＣＳ（Picture Archiving and Communication System）等の医用画像管理システム内のデータベースシステムへと転送されて保管される。そして、ＰＡＣＳに保管された医用画像は、医師によって参照される。このようなシステムでは、撮影技師による検像が適切かつ迅速に行われることが求められる。
【０００４】
検像を行うためのシステムとして、例えば、通信ネットワークを介してＰＡＣＳのような医用画像管理システム内のデータベースにモダリティで生成された医用画像データを記憶させる際、画面確認によるデータの必要性のチェック、登録済みデータとの整合性のチェック、ＲＩＳ（Radiological Information System）やＨＩＳ（Hospital Information System）から送信されるオーダ情報との整合性のチェック等の作業を可能とする検像システムが開発されている（特許文献１参照）。
【先行技術文献】
【特許文献】
【０００５】
【特許文献１】特開２００４−２９０３２９号公報
【発明の概要】
【発明が解決しようとする課題】
【０００６】
ところで、検像時に修正するべき不具合の一つに、モダリティおける照射線量不足による医用画像の画質の低下がある。しかし、この照射線量不足による医用画像の画質の低下は、モニタ等の画面上では確認されにくく、フィルム等の媒体に出力されて初めて確認される場合が多い。そのため、撮影技師等のユーザにとって不便であった。
【０００７】
本発明は、上述したような課題に鑑みて為されたものであり、その目的とするところは、医用画像撮影装置における照射線量不足による医用画像の画質の低下を、ユーザが容易に確認するための装置を提供することである。
【課題を解決するための手段】
【０００８】
上記の課題を解決するために、請求項１に記載の医用画像処理装置は、
医用画像撮影装置で生成された医用画像データを取得する取得手段と、
前記医用画像データに含まれる前記医用画像撮影装置のシステム感度の値を集計して集計情報を生成し、当該集計情報に基づいて、前記取得手段により新たに取得される医用画像データに含まれる前記医用画像撮影装置のシステム感度の値が適正であるか否かを判定し、当該システム感度の値が適正でない場合、警告情報を画面に表示させる制御手段と、
を備える。
【０００９】
請求項２に記載の発明は、請求項１に記載の発明において、
前記制御手段は、前記集計情報に基づいて前記システム感度の基準値を算出し、当該基準値に基づいて前記新たに取得される医用画像データに含まれる前記医用画像撮影装置のシステム感度の値が適正であるか否かを判定する。
【００１０】
請求項３に記載の発明は、請求項２に記載の発明において、
基準値算出用係数を設定する設定手段を更に備え、
前記制御手段は、前記基準値算出用係数と前記集計情報に基づいて、前記基準値を算出する。
【００１１】
請求項４に記載の発明は、請求項２又は３に記載の発明において、
前記制御手段は、前記基準値と前記新たに取得される医用画像データに含まれる前記医用画像撮影装置のシステム感度の値とを比較し、当該システム感度の値が前記基準値以上の場合に、当該システム感度の値が適正でないと判定する。
【００１２】
請求項５に記載の発明は、請求項１〜４の何れか一項に記載の発明において、
前記取得手段は、１又は複数の医用画像撮影装置から医用画像データを取得し、
前記制御手段は、前記医用画像撮影装置の種別毎に前記集計情報を生成し、当該集計情報に基づいて、前記取得手段により新たに取得される医用画像データに含まれる前記医用画像撮影装置のシステム感度の値が適正であるか否かを、前記医用画像撮影装置の種別に応じて判定する。
【００１３】
請求項６に記載のプログラムは、
コンピュータを、
医用画像撮影装置で生成された医用画像データを取得する取得手段、
前記医用画像データに含まれる前記医用画像撮影装置のシステム感度の値を集計して集計情報を生成し、当該集計情報に基づいて、前記取得手段により新たに取得される医用画像データに含まれる前記医用画像撮影装置のシステム感度の値が適正であるか否かを判定し、当該システム感度の値が適正でない場合、警告情報を画面に表示させる制御手段、
として機能させる。
【発明の効果】
【００１４】
請求項１、６に記載の発明によれば、医用画像撮影装置で生成された医用画像データを取得し、当該医用画像データに含まれる前記医用画像撮影装置のシステム感度の値を集計して集計情報を生成し、当該集計情報に基づいて、新たに取得される医用画像データに含まれる前記医用画像撮影装置のシステム感度の値が適正であるか否かを判定し、当該システム感度の値が適正でない場合、警告情報を画面に表示させる。
【００１５】
そのため、医用画像撮影装置における照射線量不足による医用画像の画質の低下を、ユーザが容易に確認することができる。
【００１６】
請求項２に記載の発明によれば、集計情報に基づいて前記システム感度の基準値を算出し、当該基準値に基づいて前記新たに取得される医用画像データに含まれる前記医用画像撮影装置のシステム感度の値が適正であるか否かを判定する。そのため、システム感度の値が適正であるか否かを適切に判定することができる。
【００１７】
請求項３に記載の発明によれば、ユーザ操作等により設定される基準値算出用係数と前記集計情報に基づいて、基準値を算出する。そのため、そのため、システム感度の値が適正であるか否かを柔軟に判定することができる。
【００１８】
請求項４に記載の発明によれば、前記基準値と前記新たに取得される医用画像データに含まれる前記医用画像撮影装置のシステム感度の値とを比較し、当該システム感度の値が前記基準値以上の場合に、当該システム感度の値が適正でないと判定する。そのため、システム感度の値が適正であるか否かを更に適切に判定することができる。
【００１９】
請求項５に記載の発明によれば、１又は複数の医用画像撮影装置で生成された医用画像データを取得し、医用画像撮影装置の種別毎に集計情報を生成し、当該集計情報に基づいて、新たに取得される医用画像データに含まれる前記医用画像撮影装置のシステム感度の値が適正であるか否かを、前記医用画像撮影装置の種別に応じて判定する。
【００２０】
そのため、異なる種類の医用画像撮影装置と医用画像処理装置が接続されている場合でも、システム感度の値が適正であるか否かの判定を、医用画像撮影装置の種別に応じて適切に行うことができる。
【図面の簡単な説明】
【００２１】
【図１】放射線科システムのシステム構成の一例を示すシステム構成図である。
【図２】医用画像データのデータ構成図である。
【図３】検像装置のブロック図である。
【図４】Ｓ値集計テーブルのデータ構成図である。
【図５】基準値算出用テーブルのデータ構成図である。
【図６】基準値算出用テーブル更新処理を示すフローチャート図である。
【図７】基準値算出処理を示すフローチャート図である。
【図８】Ｓ値画質判定処理を示すフローチャート図である。
【図９】検像画面の画面例である。
【図１０】警告ダイアログの例である。
【発明を実施するための形態】
【００２２】
以下、本発明の医用画像処理装置を図１の検像装置１０に適用した場合の実施形態について図１〜図１０を参照して説明する。
【００２３】
[放射線科システムのシステム構成]
先ず、検像装置１０を有する放射線科システム１００の概要について図１を用いて説明する。
【００２４】
図１は、放射線科システム１００のシステム構成の一例を示すブロック図である。図１によれば、放射線科システム１００は、検像装置１０と、ＰＡＣＳ２０と、イメージャ３０と、モダリティ４０ａと、モダリティ４０ｂと、モダリティ４０ｃと、から構成されている。
【００２５】
検像装置１０と各モダリティ４０ａ〜４０ｃとは、ＬＡＮ（Local Area Network）等の通信ネットワークを介して、データ通信可能に接続されている。また、検像装置１０はＰＡＣＳ２０とデータ通信可能に接続されている。そのため、各モダリティ４０ａ〜４０ｃとＰＡＣＳ２０とのデータ通信は、検像装置１０を介して行われる。また、検像装置１０は、イメージャ３０とデータ通信可能に接続されている。そのため、各モダリティ４０ａ〜４０ｃとイメージャ３０とのデータ通信は、検像装置１０を介して行われる。
【００２６】
ここで、説明の都合上、各モダリティ４０ａ〜４０ｃを総じてモダリティ４０と称す。モダリティ４０は、撮影技師の操作に従って撮影して得られた画像のデータ信号をＤＩＣＯＭ規格に則したデジタルデータに変換して医用画像データを生成する医用画像撮影装置である。モダリティ４０は、生成した医用画像データを検像装置１０に送信する。モダリティ４０としては、ＣＲ装置、ＦＰＤ装置等が適用可能である。
【００２７】
例えば、ＣＲ装置は、被写体に放射線を照射して、その被写体を透過した放射線をプレート状の輝尽性蛍光体に吸収させる。そして、この輝尽性蛍光体を例えばレーザ光で走査しながら励起することにより、この輝尽性蛍光体が蓄積している放射線エネルギを発光させ、その発光を光電変換して得られた放射線画像のデータ信号をデジタル変換して被写体の実画像データを生成する。
【００２８】
本実施形態において、モダリティ４０ａはＣＲ装置（Ａ社製）、モダリティ４０ｂはＦＰＤ装置（Ａ社製）、モダリティ４０ｃはＦＰＤ装置（Ｂ社製）である。
【００２９】
図２に、医用画像データの１フレームのデータ構造の一例を示す。図２によれば、１フレームの医用画像データは、付帯情報のデータブロックと、実画像データのデータブロックとを有して構成される。付帯情報のデータブロックは、患者情報のデータブロックと、検査情報のデータブロックと、シリーズ情報のデータブロックと、画像情報のデータブロックとを含む。医用画像データの１フレームは、医用画像１枚分に相当する。
【００３０】
患者情報、検査情報及びシリーズ情報は、図示しないＲＩＳによって作成されたオーダ情報等に基づいて設定される。ここで、ＲＩＳとは、放射線科内の情報を管理する放射線科情報システムである。また、オーダ情報とは、撮影や診察のオーダの内容を示すデータである。
【００３１】
患者情報は、撮影を行う患者の受付番号や氏名、患者ＩＤ、性別等の患者毎に設定されたデータである。
【００３２】
検査情報は、医師がオーダした検査を識別する検査ＩＤ、モダリティ種別、検査部位、撮影方向及び体位といった検査条件を示すデータである。検査情報Ｄ２２は、Ｓ値を含む。Ｓ値（Sensitivity）とは、医用画像データを生成したＣＲ装置、ＦＰＤ装置等の医用画像撮影装置のシステム感度を示すパラメータである。Ｓ値は、画質管理や被爆線量管理の為に、照射線量の目安として使用される。Ｓ値は、モダリティ種別毎、撮影する検査部位毎に独立別個の値となる。即ち、各モダリティ４０（モダリティ４０ａ、３０ｂ、３０ｃ）は、それぞれ独立別個のＳ値を持つ。ここでいうモダリティ種別とは、モダリティの種類（ＣＲ装置、ＦＰＤ装置）の他に、モダリティのベンダ（Ａ社、Ｂ社）、モダリティの製品のバージョン等を含む。
【００３３】
シリーズ情報は、一つの検査の中で生成されるモダリティ４０毎の一連の医用画像データの単位を示すシリーズＩＤ、撮影を行った撮影技師を識別する技師ＩＤを含むデータである。
【００３４】
画像情報は、この画像情報に対応付けられたシリーズ情報のシリーズＩＤと、医用画像が生成された際に付された医用画像データの画像ＩＤと、画像が生成された画像生成時刻等の画像管理や画像生成に関する各種情報とを含んで構成される。
【００３５】
図１に戻り、検像装置１０は、ＲＩＳによって作成されたオーダ情報と、モダリティ４０から送信される医用画像データとを受信して、データベースに医用画像データを蓄積していき、撮影技師の検像を待機する。
【００３６】
本実施形態における「検像」とは、オーダ情報通りの撮影を行ったか、実画像データに基づく医用画像が診断に適した画質であるか、オーダ情報と付帯情報との整合性が取れているか等を医用画像データのＰＡＣＳ２０への送信前に確認及び修正する行為である。
【００３７】
撮影技師は、各医用画像データの検像を行った後、検像対象となった医用画像データを診断用として使用してもよいと判断した場合、この医用画像データを診断用としてＰＡＣＳ２０に登録するように承認するための、検像装置１０への承認操作を行う。この承認操作に従って、医用画像データがＰＡＣＳ２０に転送される。
【００３８】
また、検像装置１０は、ユーザ操作に基づいて、医用画像データをＰＡＣＳ２０に転送する他に、イメージャ３０に転送することもできる。このとき、検像装置１０は、医用画像データと共に、イメージャ出力要求信号をイメージャ３０に送信する。
【００３９】
ＰＡＣＳ２０は、モダリティ４０において生成された医用画像データを保存管理し、検索やデータ解析を行うデータベースシステムである。ＰＡＣＳ２０は、制御部や記憶部、通信部等を備えて構成され、検像装置１０から受信した医用画像データに含まれる付帯情報に基づいて当該医用画像データを、例えば、リレーショナルデータベースに蓄積記憶していく。そして、ＰＡＣＳ２０は、読影医等の操作指示に応じて指定された患者ＩＤや検査ＩＤ等を検索キーとして医用画像データを検索し、図示しないビューア等に出力する。
【００４０】
イメージャ３０は、モダリティ４０において生成された医用画像データに基づいて、医用画像をフィルムにプリント出力（イメージャ出力）する装置である。イメージャ３０は、検像装置１０からイメージャ出力要求信号と医用画像データを受信すると、受信した画像データに基づいて、医用画像をイメージャ出力する。
【００４１】
[検像装置の機能的構成]
図３に、検像装置１０の機能的構成を示す。
【００４２】
図３に示すように、検像装置１０は、制御部１１、操作部１２、表示部１３、通信部１４、記憶部１５を備えて構成され、各部はバス１６により接続されている。
【００４３】
制御部１１は、ＣＰＵ（Central Processing Unit）、ＲＡＭ（Random Access Memory）等から構成され、検像装置１０の各部の処理動作を統括的に制御する。具体的には、ＣＰＵは、操作部１２から入力される操作信号又は通信部１４により受信される指示信号に応じて、記憶部１５に記憶されている各種処理プログラムを読み出し、ＲＡＭ内に形成されたワークエリアに展開し、当該プログラムとの協働により各種処理を行う。
【００４４】
操作部１２は、カーソルキー、数字入力キー、及び各種機能キー等を備えたキーボードと、マウス等のポインティングデバイスを備えて構成され、キーボードに対するキー操作やマウス操作により入力された操作信号を制御部１１に出力する。
【００４５】
表示部１３は、１又は複数台のＬＣＤ（Liquid Crystal Display）により構成され、制御部１１から入力される表示データに基づいて各種画面を表示する。
【００４６】
通信部１４は、ＬＡＮアダプタ、ルータ、ＴＡ（Terminal Adapter）等を備え、通信ネットワークを介して接続されたＲＩＳ、モダリティ４０、ＰＡＣＳ２０、イメージャ３０等の外部機器との間でデータの送受信を行う。
【００４７】
記憶部１５は、ハードディスク等から構成され、制御プログラム、当該プログラムの実行に必要なパラメータやファイル等を記憶している。また、記憶部１５は、モダリティ４０から送信された検像待ちの医用画像データを一時的に記憶する。記憶部１５は、Ｓ値集計テーブル１５１、基準値算出用テーブル１５２を記憶する。
【００４８】
Ｓ値集計テーブル１５１は、医用画像データのモダリティ種別、検査部位毎に、Ｓ値を月単位で集計したテーブル（集計情報）である。制御部１１が、１２ヶ月間Ｓ値を集計した場合、Ｓ値集計テーブル１５１は１２テーブル生成される。制御部１１は、生成したＳ値集計テーブル１５１を記憶部１５に蓄積記憶させていく。
【００４９】
図４にＳ値集計テーブル１５１のデータ構成を示す。図４に示すように、Ｓ値集計テーブル１５１は、「モダリティ」「検査部位」「画像数」「最大値」「最小値」「平均値」の項目から成る。項目「モダリティ」は、医用画像データを生成したモダリティ種別を示す。項目「検査部位」は、医用画像データにおける検査部位を示す。項目「画像数」は、１ヶ月間で集計された（されている）医用画像データのフレーム数である。項目「最大値」は、１ヵ月間で集計された（されている）医用画像データの各フレームに含まれるＳ値のうちの最大値を示す。項目「最小値」は、１ヵ月間で集計された（されている）医用画像データの各フレームに含まれるＳ値のうちの最小値を示す。項目「平均値」は、１ヵ月間で集計された（されている）医用画像データの各フレームに含まれるＳ値の平均値を示す。制御部１１は、これらの項目の値を更新する。
【００５０】
基準値算出用テーブル１５２は、モダリティ種別、検査部位毎の医用画像データにおける（に関する）Ｓ値の最近３ヶ月の集計情報に基づき、Ｓ値の基準値を求める為のテーブルである。
【００５１】
図５に基準値算出用テーブル１５２のデータ構成を示す。図５に示すように、基準値算出用テーブル１５２は、「モダリティ」「検査部位」「３ヶ月間平均値」「基準値算出用係数」の項目から成る。項目「モダリティ」は、Ｓ値集計テーブル１５１の項目「モダリティ」と同様、医用画像データを生成したモダリティ種別を示す。項目「検査部位」は、Ｓ値集計テーブル１５１の項目「検査部位」と同様、医用画像データにおける検査部位を示す。項目「３ヶ月間平均値」は、最近３ヶ月間で集計された医用画像データの各フレームに含まれるＳ値の平均値を示す。項目「基準値算出用係数」は、Ｓ値の基準値を求める際に用いられる係数である。制御部１１は、これらの項目の値を更新する。
【００５２】
図３に戻り、制御部１１は、通信部１４を介して、モダリティ４０から医用画像データを受信すると、この医用画像データを記憶部１５に記憶させる。また、制御部１１は、通信部１４を介して、図示しないＲＩＳからオーダ情報を受信すると、このオーダ情報を記憶部１５に記憶させる。そして、制御部１１は、撮影技師等による操作部１２からの操作信号に基づき、表示部１３に医用画像と付帯情報、オーダ情報等を表示させる。即ち、制御部１１は、検像画面（図９参照）を表示部１３に表示させる。撮影技師は、表示されたこれらの情報を参照し、検像を行う。
【００５３】
制御部１１は、月の初めの所定時刻に基準値算出用テーブル更新処理を行う（図６参照）。また、制御部１１は、検像装置１０の起動時、もしくは、ユーザ操作による操作部１２からの操作信号に基づいて、基準値算出処理を行う（図７参照）。また、制御部１１は、モダリティ４０から医用画像データを通信部１４を介して受信した場合、Ｓ値画質判定処理を行う（図８参照）。
【００５４】
[基準値算出用テーブル更新処理]
次に、検像装置１０の制御部１１が行う基準値算出用テーブル更新処理の具体的な処理内容について、図６を用いて説明する。
【００５５】
月の初めの所定時刻になると、制御部１１は、直近の３ヶ月分のＳ値集計テーブル１５１から、医用画像データのモダリティ種別、検査部位毎に、Ｓ値の平均値を取得する。例えば、２００９年２月１日の午前１時００分に、制御部１１は、２００８年１１月分のＳ値集計テーブル１５１、２００８年１２月分のＳ値集計テーブル１５１、２００９年１月分のＳ値集計テーブル１５１からモダリティ種別、検査部位毎のＳ値の平均値を取得する（ステップＳ１）。
【００５６】
制御部１１は、取得した３ヶ月分のＳ値の平均値に基づき、モダリティ種別、検査部位毎にＳ値の３ヶ月平均値を算出する（ステップＳ２）。
【００５７】
制御部１１は、算出したモダリティ種別、検査部位毎のＳ値の３ヶ月平均値を、基準値算出用テーブル１５２の対応するレコードの項目「３ヶ月間平均値」に反映する（ステップＳ３）。以上で処理が終了する。
【００５８】
[基準値算出処理]
次に、検像装置１０の制御部１１が行う基準値算出処理の具体的な処理内容について、図７を用いて説明する。
【００５９】
検像装置１０が起動すると、もしくは、ユーザ操作による操作部１２からの操作信号が入力されると、制御部１１は、基準値算出用テーブル１５２から、モダリティ種別、検査部位毎の項目「３ヶ月間平均値」と項目「基準値算出用係数」の値を取得する（ステップＳ１０１）。
【００６０】
制御部１１は、モダリティ種別、検査部位毎に、３ヶ月間平均値に基準値算出用係数を乗じてＳ値の基準値を算出する（ステップＳ１０２）。制御部１１は、モダリティ種別、検査部位毎のＳ値の基準値をＲＡＭに保持する。以上で処理が終了する。
【００６１】
また、制御部１１は、ユーザ操作による操作部１２からの操作信号に基づいて、モダリティ種別、検査部位毎の基準値算出用係数を設定する。ユーザは、この基準値算出用係数を制御部１１に設定させることにより、Ｓ値の基準値の調整を行う。そのため、制御部１１は、Ｓ値の値が適正であるか否かを柔軟に判定することができる。
【００６２】
[Ｓ値画質判定処理]
次に、検像装置１０の制御部１１が行うＳ値画質判定処理の具体的な処理内容について、図８を用いて説明する。
【００６３】
制御部１１は、通信部１４を介してモダリティ４０から医用画像データを受信（取得）すると（ステップＳ２０１）、この医用画像データに含まれる付帯情報から医用画像データの種別情報（モダリティ種別、検査部位）を抽出（取得）する（ステップＳ２０２）。
【００６４】
また、制御部１１は、ステップＳ２０１において受信した医用画像データに含まれる付帯情報からＳ値を抽出（取得）する（ステップＳ２０３）。
【００６５】
制御部１１は、ステップＳ２０２において取得した種別情報、ステップＳ２０３において取得したＳ値に基づいて、Ｓ値集計テーブル１５１の該当するレコードの「画像数」「最大値」「最小値」「平均値」のうち該当する項目を更新する（ステップＳ２０４）。具体的に、該当するレコードとは、ステップＳ２０２において取得した種別情報（モダリティ種別、検査部位）と、Ｓ値集計テーブル１５１の項目「モダリティ」「検査部位」とが一致するレコードのことである。制御部１１は、該当するレコードがない場合は、新たにレコードを生成する。
【００６６】
制御部１１は、ＲＡＭに記憶されているモダリティ種別、検査部位毎のＳ値の基準値のうち、ステップＳ２０２において取得した種別情報に対応するモダリティ種別、検査部位のＳ値の基準値を参照し（ステップＳ２０５）、この基準値と、ステップＳ２０１において受信した医用画像データに含まれるＳ値と、の大きさを比較する（ステップＳ２０６）。
【００６７】
比較の結果、基準値よりも、受信した医用画像データに含まれるＳ値の方が大きい場合（ステップＳ２０６；ＹＥＳ）、制御部１１は、画面に警告情報を表示する（ステップＳ２０７）。警告情報を表示する画面例等は後述する。
【００６８】
一方、比較の結果、受信した医用画像データに含まれるＳ値が、基準値以下の場合（ステップＳ２０６；ＮＯ）、制御部１１は、画面に警告情報を出さない。以上で、処理が終了する。
【００６９】
[画面例]
次に、検像装置１０の制御部１１が表示部１３に表示させる検像画面の画面例を、図９を用いて説明する。この検像画面において、図８のステップＳ２０７における警告情報が表示される。
【００７０】
検査画面には、検像リストｄ１と、検像対象医用画像表示領域ｅ１と、ＯＫボタンｂ１と、イメージャ出力ボタンｂ２とから構成される。検像リストｄ１は、記憶部１５に蓄積された検像待ちの医用画像データのリストである。検像リストｄ１は、「Ｓ値」「受信日時」「受付番号」「患者ＩＤ」「氏名」「状態」等の項目から成る。ここで、Ｓ値画質判定処理において、基準値よりも受信した医用画像データに含まれるＳ値の方が大きいと判定された医用画像データを含むレコードの項目「Ｓ値」は、文字が太字になり警告情報（第１警告情報）として表示される。具体的に、検像リストｄ１の２レコード目と６レコード目の項目「Ｓ値」の値「１５００」が太字となり表示される。
【００７１】
検像対象医用画像表示領域ｅ１には、検像リストｄ１において選択された医用画像データに基づいて、付帯情報、医用画像が表示される。ここで、表示される付帯情報には、Ｓ値が含まれる。警告情報が表示されている（文字が太字となっている）レコードの医用画像データが選択されると、検像対象医用画像表示領域ｅ１には、付帯情報、医用画像の他に、警告情報（第２警告情報）ｄ２が表示される。
【００７２】
ＯＫボタンｂ１が押下される（承認操作）と、検像リストｄ１で選択されている医用画像データが、ＰＡＣＳ２０に転送される。
【００７３】
イメージャ出力ボタンｂ２が押下されると、検像リストｄ１で選択されている医用画像データがイメージャ出力要求信号と共にイメージャ３０に転送される。
【００７４】
第１警告情報が表示されている（文字が太字となっている）レコードの医用画像データが選択された状態で、ＯＫボタンｂ１、又はイメージャボタンｂ２が押下されると、図１０に示す警告情報ダイアログ（第３警告情報）ｄ３が表示されて、ＰＡＣＳ２０又はイメージャ３０に医用画像データを送信してもよいか否かを再確認する。
【００７５】
以上、本実施形態によれば、検像装置１０の制御部１１は、モダリティ４０において生成された医用画像データを受信する。そして、制御部１１は、受信した医用画像データに含まれるＳ値を集計して集計情報（Ｓ値集計テーブル１５１、基準値算出用テーブル１５２）を生成する。制御部１１は、集計情報（基準値算出用テーブル１５２）に基づいて、Ｓ値の基準値を算出する。制御部１１は、この基準値に基づいて、新たにモダリティ４０から取得した医用画像データに含まれるＳ値の値が適正であるか否かを判定する。制御部１１は、Ｓ値の値が適正でないと判定すると、警告情報を表示部１３の検像画面に表示する。
【００７６】
そのため、フィルム等の媒体に医用画像を出力せずに、検像画面上で、モダリティ４０における照射線量不足による医用画像の画質の低下を、ユーザが容易に確認することができる。
【００７７】
また、制御部１１は、モダリティ４０ａ、４０ｂ、３０ｃのように複数の種類のモダリティ４０から医用画像データを受信する。そして、制御部１１は、モダリティ種別、検査部位毎にＳ値を集計する。そして、制御部１１は、医用画像データを生成したモダリティの種別、医用画像データの検査部位に応じてＳ値の値が適正であるか否かを判定する。
【００７８】
そのため、異なる種類の複数のモダリティ４０と検像装置１０が接続されている場合でも、Ｓ値が適正であるか否かの判定を、モダリティ４０の種別、検査部位に応じて適切に行うことができる。
【００７９】
尚、本実施形態における記述は、本発明に係る医用画像処理装置の一例であり、これに限定されるものではない。システム及び各装置の細部構成及び細部動作に関しても適宜変更可能である。
【００８０】
また、本実施の形態では、プログラムを格納したコンピュータ読み取り可能な媒体としてハードディスクを使用した例を開示したが、この例に限定されない。その他のコンピュータ読み取り可能な媒体として、可搬型記憶媒体やフラッシュメモリ等の不揮発性メモリ等を適用することが可能である。また、プログラムのデータを通信回線を介して提供する媒体として、キャリアウェーブ（搬送波）も適用可能である。
【符号の説明】
【００８１】
１０      検像装置
１１      制御部
１２      操作部
１３      表示部
１４      通信部
１５      記憶部
１６      バス
２０      ＰＡＣＳ
３０      イメージャ
４０      モダリティ
４０ａ    モダリティ
４０ｂ    モダリティ
４０ｃ    モダリティ
１５１    Ｓ値集計テーブル
１５２    基準値算出用テーブル
【図１】
2010188041.tif 000003
【図２】
2010188041.tif 000004
【図３】
2010188041.tif 000005
【図４】
2010188041.tif 000006
【図５】
2010188041.tif 000007
【図６】
2010188041.tif 000008
【図７】
2010188041.tif 000009
【図８】
2010188041.tif 000010
【図９】
2010188041.tif 000011
【図１０】
2010188041.tif 000012